【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
位置を特定するための情報を発信する位置情報発信装置であって、
所定の無線通信を行う無線通信手段と、
第１の識別情報を含む音波を発信する音波発信手段と、
第２の識別情報を含む電波を発信する電波発信手段と、
前記所定の無線通信を介して通知された制御情報に応じて、前記音波の発信方法、又は前記電波の発信方法を変更する発信制御手段と、
を有する位置情報発信装置。
【請求項２】
前記電波発信手段は、所定の時間間隔で前記電波を発信し、
前記発信制御手段は、
前記制御情報に応じて、前記電波を発信する時間間隔を変更する請求項１に記載の位置情報発信装置。
【請求項３】
前記電波発信手段は、所定の出力レベルで前記電波を発信し、
前記発信制御手段は、
前記制御情報に応じて、前記電波を発信する出力レベルを変更する請求項１又は２に記載の位置情報発信装置。
【請求項４】
前記音波発信手段は、所定の出力レベルで前記音波を発信し、
前記発信制御手段は、
前記制御情報に応じて、前記音波を発信する出力レベルを変更する請求項１乃至３のいずれか一項に記載の位置情報発信装置。
【請求項５】
前記音波発信手段は、所定の中心周波数で前記音波を発信し、
前記発信制御手段は、
前記制御情報に応じて、前記音波を発信する前記中心周波数を変更する請求項１乃至４のいずれか一項に記載の位置情報発信装置。
【請求項６】
前記音波発信手段は、前記所定の中心周波数が異なる複数の前記音波の発信が可能であり、
前記発信制御手段は、
前記制御情報に応じて、前記音波発信手段が発信する、前記所定の中心周波数が異なる前記音波の数を変更する請求項１乃至５のいずれか一項に記載の位置情報発信装置。
【請求項７】
前記位置情報発信装置の周囲の音波を収集する音波収集手段を有する請求項１乃至６のいずれか一項に記載の位置情報発信装置。
【請求項８】
請求項１乃至７のいずれか一項に記載の位置情報発信装置と、前記位置情報発信装置と所定の無線通信を介して通信可能な情報処理装置とを含む位置情報発信システムであって、
前記情報処理装置は、
前記位置情報発信装置が発信する音波に含まれる第１の識別情報、又は前記位置情報発信装置が発信する電波に含まれる第２の識別情報を取得した情報端末から、前記情報端末が取得した識別情報を含む取得情報を受信する受信手段と、
前記取得情報に基づいて、前記位置情報発信装置が発信する音波、又は前記位置情報発信装置が発信する電波の発信方法を制御する制御情報を、前記所定の無線通信を介して前記位置情報発信装置に通知する補完制御手段と、
を有する位置情報発信システム。
【請求項９】
前記補完制御手段は、
前記取得情報に前記第１の識別情報が含まれない場合、
前記位置情報発信装置に、前記位置情報発信装置が前記電波を発信する時間間隔を、該時間間隔より短い時間間隔に変更することを指示する前記制御情報を通知する請求項８に記載の位置情報発信システム。
【請求項１０】
前記補完制御手段は、
前記取得情報に前記第１の識別情報が含まれない場合、
前記位置情報発信装置に、前記位置情報発信装置が発信する前記音波の出力レベルを、該出力レベルより高い出力レベルに変更することを指示する前記制御情報を通知する請求項８に記載の位置情報発信システム。
【請求項１１】
前記補完制御手段は、
前記取得情報に前記第１の識別情報が含まれない場合、
前記位置情報発信装置に、前記位置情報発信装置が発信する前記音波の中心周波数と異なる中心周波数の前記音波を発信することを指示する前記制御情報を通知する請求項８に記載の位置情報発信システム。
【請求項１２】
前記補完制御手段は、
前記取得情報に前記第２の識別情報が含まれない場合、
前記位置情報発信装置に、前記位置情報発信装置が発信する前記電波の出力レベルを、該出力レベルより高い出力レベルに変更することを指示する前記制御情報を通知する請求項８乃至１１のいずれか一項に記載の位置情報発信システム。
【請求項１３】
前記位置情報発信システムは、互いに異なる位置に設置された複数の前記位置情報発信装置を含み、
前記情報処理装置は、
前記位置情報発信装置の前記第１の識別情報及び前記第２の識別情報と、該位置情報発信装置が設置された位置に関する情報とを対応づけて記憶した位置管理情報を管理する管理手段を有する請求項８乃至１２のいずれか一項に記載の位置情報発信システム。
【請求項１４】
前記補完制御手段は、
前記取得情報に、複数の前記第１の識別情報が含まれる場合、
前記複数の前記第１の識別情報に対応する少なくとも一の前記位置情報発信装置に、該位置情報発信装置が発信する前記音波の出力レベルを、該出力レベルより低い出力レベルに変更することを指示する前記制御情報を通知する請求項１３に記載の位置情報発信システム。
【請求項１５】
前記補完制御手段は、
前記取得情報に、複数の前記第２の識別情報が含まれる場合、
前記複数の前記第２の識別情報に対応する少なくとも一の前記位置情報発信装置に、該位置情報発信装置が発信する前記電波の出力レベルを、該出力レベルより低い出力レベルに変更することを指示する前記制御情報を通知する請求項１３又は１４に記載の位置情報発信システム。
【請求項１６】
前記補完制御手段は、
前記取得情報に、前記第２の識別情報が含まれない場合、
前記取得情報に含まれる前記第１の識別情報に対応する前記位置情報発信装置を含む１つ以上の前記位置情報発信装置に、該位置情報発信装置が発信する前記電波の出力レベルを、該出力レベルより低い出力レベルに変更することを指示する前記制御情報を通知する請求項１３乃至１５のいずれか一項に記載の位置情報発信システム。
【請求項１７】
請求項７に記載の位置情報発信装置と、前記位置情報発信装置と所定の無線通信を介して通信可能な情報処理装置とを含む位置情報発信システムであって、
前記情報処理装置は、
前記位置情報発信装置の音波収集手段によって収集された周囲の音波の状況に基づいて、前記位置情報発信装置が発信する音波の出力レベルを制御する制御情報を、前記所定の無線通信を介して前記位置情報発信装置に通知する補完制御手段を有する位置情報発信システム。
【請求項１８】
前記音波収集手段によって収集された周囲の音波に基づいて、前記位置情報発信装置が発信する音波に含まれる第１の識別情報を解析する解析手段を有する請求項１７に記載の位置情報発信システム。
【請求項１９】
第１の識別情報を含む音波と第２の識別情報を含む電波とを発信する位置情報発信装置と、所定の無線通信を介して通信可能な情報処理装置であって、
前記位置情報発信装置が発信する音波に含まれる前記第１の識別情報、又は前記位置情報発信装置が発信する電波に含まれる前記第２の識別情報を取得した情報端末から、前記情報端末が取得した識別情報を含む取得情報を受信する受信手段と、
前記取得情報に基づいて、前記位置情報発信装置が発信する音波、又は前記位置情報発信装置が発信する電波の発信方法を制御する制御情報を、前記所定の無線通信を介して前記位置情報発信装置に通知する補完制御手段と、
を有する情報処理装置。
【請求項２０】
第１の識別情報を含む音波と第２の識別情報を含む電波とを発信する位置情報発信装置と、所定の無線通信を介して通信可能な情報処理装置を、
前記位置情報発信装置が発信する音波に含まれる前記第１の識別情報、又は前記位置情報発信装置が発信する電波に含まれる前記第２の識別情報を取得した情報端末から、前記情報端末が取得した識別情報を含む取得情報を受信する受信手段と、
前記取得情報に基づいて、前記位置情報発信装置が発信する音波、又は前記位置情報発信装置が発信する電波の発信方法を制御する制御情報を、前記所定の無線通信を介して前記位置情報発信装置に通知する補完制御手段と、
として機能させるためのプログラム。
【手続補正２】
【補正対象書類名】明細書
【補正対象項目名】発明の名称
【補正方法】変更
【補正の内容】
【発明の名称】位置情報発信システム、位置情報発信装置、情報処理装置、及びプログラム
【手続補正３】
【補正対象書類名】明細書
【補正対象項目名】０００１
【補正方法】変更
【補正の内容】
【０００１】
本発明は、位置情報発信システム、位置情報発信装置、情報処理装置、及びプログラムに関する。